(57)【特許請求の範囲】
【請求項１】
コインをバラ積み状態で収納するためのタンク手段（３、４）と、
前記タンク手段（３，４）の内底に回転可能に配置されて周辺部に複数個のコイン落下用の貫通孔（１３）をもつディスク手段（５、６、１３）と、
前記貫通孔（１３）に落下したコインがスライドする基板（２）と、
概略歯車形に形成され前記ディスク手段（５，６、１３）の裏側において、前記ディスク手段（５，６、１３）と同心に回動可能に取り付けられ、コインを送り出す各歯部（２３）が貫通孔（１３）に対し進退可能であって、平面視において前記歯部（２３）が前記貫通孔（１３）に重ならない位置において、前記歯部（２３）が前記ディスク手段（５，６、１３）よりも外周に突出せず、前記貫通孔（１３）と前記歯部（２３）が重なったとき前記歯部先端は前記貫通孔（１３）の外側周縁よりも外方に位置し、前記貫通孔（１３）をコインサイズに応じた調整孔に形成するための調整板（２１）とを、を備えていることを特徴としたサイズ変更可能なコインホッパ装置。
【請求項２】
請求項１において、前記調整板（２１）は、その各歯部（２３）の先端部（２４）が前記基板（２）へ向かい下方に屈曲していることを特徴とするサイズ変更可能なコインホッパ装置。
【発明の詳細な説明】
【０００１】
【発明の属する技術分野】
本発明は小形円板体であるコインの同一種類を複数個バラ積み状態に収納して該コインを一個ずつ放出するためのコインホッパ装置に関する。
とくに本発明は放出するコインの種類を言い換えるとコインサイズの大小を変更しても其のサイズに対応できるサイズ変更可能なコインホッパ装置に関する。
なお本明細書における用語「コイン」には通貨である硬貨ならびにゲーム用のメダルやトークンなどの小形円板体を含むことは勿論である。
【従来の技術】
【０００２】
従来から円板体であるコインを放出する装置としては種々のものが知られている。同一種類のコインをバラ積み状態で収容しディスクを回転して該コインを一個ずつ強制的に送り出すコインのホッパ装置がある。
たとえば本件出願人による特願平２−１５２８５２のコインホッパ装置がある。
このホッパ装置は上記の出願に対応する特公平６−４４３０５号公報に開示されている。
さらに当該ホッパ装置は上記出願に対応する米国特許５，１２２，０９４号に開示されている。
【０００３】
この開示されているホッパ装置が図４ならびに図５に概略的に示されている。
図４ならびに図５に基づいてコインホッパ装置の動作を概略説明する。
まず電気モータ（図示略）が駆動されると中央の回転軸１２が回動されて深い皿形であるコインの送りディスク２が時計方向に回転される。
なお時計方向に回転されるコインの送りディスク２は大きな略鍋形のタンク１内で回転される。
このディスク２の回転によってドラム形のディスク２内のコインは該ディスク２の周壁４の内側に形成されている突起６などによって撹はん作用を受ける。
【０００４】
かくしてディスク２内のコインは該ディスク２の底に周方向に複数個開口されているコインの受け孔５内に入り込むことになる。
この受け孔５内に入り込んだ一番下のコインは回転されるディスク２によって大きな正方形の支持板１１の表面をスライド移動されることになる。
かくしてスライド移動された最下位のコインは図４の左側に示されるコインの出口２３に強制的に送り出されることになる。
すなわち最下位のコインは回転されるディスク２の下面に形成された細長いコインの送り爪（図示略）によって移動される。
【０００５】
そして移動される最下位のコインは支持板１１表面の案内板１５ならびにタンク１取り付け用のフランジ周壁２２によってガイドされ出口２３に放出される。
言い換えると送り爪（図示略）によって移動されるコインはタンク１のフランジ周壁２２ならびに案内板１５によってガイドされる。
そして最終的には固定位置のガイドローラ（図示略）ならびに可動のガイドローラ２６によって案内されコインの出口２３から強制的に送り出される。
【発明が解決しようとする課題】
【０００６】
上述したようなホッパ装置は同一種類のコインを一個ずつ送り出す装置であるため他の種類のコインには簡単には転用できないという問題点があった。
本発明の目的は放出するコインの種類を言い換えるとコインサイズの大小を変更しても簡単にサイズ変更ができるコインホッパ装置の提供にある。
言い換えると本発明の目的は一台のコインホッパ装置を簡単に調整することによって種々のサイズのコインに容易に適用できるようにすることにある。
【課題を解決するための手段】
【０００７】
本発明は、 コインをバラ積み状態で収納するためのタンク手段と、前記タンク手段の内底に回転可能に配置されて周辺部に複数個のコイン落下用の貫通孔をもつディスク手段と、前記貫通孔に落下したコインがスライドする基板と、概略歯車形に形成され前記ディスク手段の裏側において、前記ディスク手段と同心に回動可能に取り付けられ、コインを送り出す各歯部が貫通孔に対し進退可能であって、平面視において前記歯部が前記貫通孔に重ならない位置において、前記歯部が前記ディスク手段よりも外周に突出せず、前記貫通孔と前記歯部が重なったとき前記歯部先端は前記貫通孔の外側周縁よりも外方に位置し、前記貫通孔をコインサイズに応じた調整孔に形成するための調整板とを、を備えていることを特徴としたサイズ変更可能なコインホッパ装置である。
【０００８】
また本発明は、前記調整板は、その各歯部の先端部が前記基板へ向かい下方に屈曲していることを特徴とするサイズ変更可能なコインホッパ装置である。
【発明の実施の形態】
以下に本発明を其の実施例に基づいて添付の図面を参照しつつ説明する。図１は本発明による一実施例のコインホッパ装置を概略的に示す斜面図である。図２は図１の要部であるディスクを概略的に示す平面図である。図３は図２を側面から見た概略的なディスクの断面図である。図１左の大きな三角形はホッパ装置を構成する左右一対の脚フレーム１である。
【０００９】
そして一対の脚フレーム１の間には大きな正方形の基板２が起立状態でやや傾斜して取り付けられている。図１において、ほぼ中央の大きなボウル形のものはホッパ装置を構成するタンク３である。タンク３の元端部は筒形部４に形成されて基板２の中央に取り付けられている。基板２と筒形部４との間の適所にはコインの放出路９が形成されている。タンク３の筒形部４の内部にはディスク５が回転自在に配設されている。図１においてディスク５は中心の駆動軸６によって時計方向に回動される。
【００１０】
なお駆動軸６は基板２を回転自在に貫通して該基板２の裏面に配設されているギアボックス（図示略）を介在して電気モータ（図示略）に連結されている。
ディスク５は図２ならびに図３に示されるようにほぼ皿形に形成されている。
すなわちディスク５の周縁全体には起立壁１１が形成されている。
そしてディスク５の中央には駆動軸６を取り付ける筒部１２が形成されている。
ディスク５の周辺全体には等間隔にコイン落し用の貫通孔１３が形成されている。
さらにディスク５の下面には概略歯車形の調整板２１が取り付けられている。
調整板２１は中央で駆動軸６に回転可能に外嵌される。
【００１１】
そして調整板２１はディスク５の小さな細長孔１４を介在してビス２２によりディスク５に取り付けられる（図２を参照）。
したがって貫通孔１３と調整板２１の歯部２３とによって形成された調整孔２７は大きさを容易に変更できることになる。
なお調整板２１の細長い湾曲した各歯部２３の先端部２４は少し下方に屈曲されている。先端部２４によってコインが確実に押し出されるようにするためである。また基板２と調整板２１との間にはやや小さな円板形のスペイサ２５が配置されている（図３を参照）。
【００１２】
またコインの放出路９の近くの基板２にはコインのガイド板２６が配置されている。したがってスペイサ２５の高さはガイド板２６より若干高いことは勿論である（図３を参照）。
なおガイド板２６は小さい矩形の鉄板の先端をやや屈曲したものである。
ガイド板２６の屈曲部を基板２の上面に突出して基板２の下面にスプリング（図示略）を介在してボルトナット（図示略）で取り付けられている。
なおガイド板２６はディスク５が正回転すなわち時計方向に回転するときは其の起立面でコインを放出路９の方向にガイドする。
【００１３】
そしてディスク５が逆回転すなわち反時計方向に回転するときは其の傾斜面とスプリングの作用でコインはガイド板２６を乗り越えることになる。上述の構成からなる本実施例はタンク３内に同一種類のコインを複数個バラ積み状態に収納して電気モータ（図示略）を駆動する。電気モータが回動されると図２に示されるようにディスク５が回転される。ディスク５が回転されるとコインＣ１が貫通孔１３内に落ち込むことになる。
【００１４】
貫通孔１３に落ち込んだコインＣ１が歯部２３によって形成された調整孔２７よりも小さい場合には該コインＣ１は基板２の上面に乗ることになる。
基板２上面に乗ったコインＣ２、Ｃ３は回転するディスク５に固定された歯部２３によってスライド移動されることになる。
スライド移動されるコインＣ４はタンク３の筒部５内壁にガイドされ更にはガイド板２６に誘導されて放出路９に送り出されることになる。
したがって調整孔２７よりも大きなコインは放出路９に送り出されることはない。
【００１５】
言い換えると所定のサイズであるコインＣ１〜Ｃ４の中にサイズの大きなコインが紛れ込んでいても当該ホッパ装置から放出されることはない。
本実施例においてコインの大きさを変更する場合は例えば大きなコインにする場合には図２の鎖線で示されるように調整板２１を反時計方向にやや回転する。
すなわち四個のビス２２を緩めて調整板２１を反時計方向にやや回転し再びビス２２によってディスク５に固定する。
なお図１の実施例ではディスク５が起立状態に近いが水平状態にしても良く又やや傾斜状態にしても良いことは勿論である。
【００１６】
すなわち本発明は図１の実施例のようにコインをほぼ起立状態で放出するタイプのホッパ装置にも又コインを水平に放出するタイプのホッパ装置にも適用できることは勿論である。
また図面のディスク５は起立壁１１を有しているが起立壁１１が無くても良く更に厚手の円板にしても良いことは勿論である。
また貫通孔１３はコインの最大サイズを考慮して決められることは勿論である。
また本実施例では調整板２１を概略歯車形としたが円板の鋸歯形にしても良いことは勿論である。
【００１７】
さらに貫通孔１３の数によっては例えば三個の場合は略三角形の調整板が使用され得ることは勿論である。加えて歯部２３のみの調整板にして貫通孔１３ごとに取り付けても良いことは勿論である。
またディスク５の下面に調整板２１を取り付けたがディスク５の上面に調整板２１を取り付けるようにしても良いことは勿論である。
また実施例の場合、ディスク５と調整板２１との取り付け構造は細長孔１４とビス２２とであるが駆動軸６を使用して固定しても良いことは勿論である。
【００１８】
とくにディスク５ならびに調整板２１が小形の場合には駆動軸６の利用が有利と考えられる。
【発明の効果】
以上のようになる本発明は簡単な構成の付加によって一台のコインホッパ装置のみで種々のコインサイズに簡単に適用できるという大きな効果が得られる。
言い換えるとコインホッパ装置は同一種類のコインを一個ずつ送り出す装置であるが本発明によると他の種類のコインに簡単に転用できることになる。
【図面の簡単な説明】
【図１】図１は本発明による一実施例のコインホッパ装置を概略的に示す斜面図である。
【図２】図２は図１の要部であるディスクを概略的に示す平面図である。
【図３】図３は図２を側面から見た概略的なディスクの断面図である。
【図４】図４は従来例を示す概略的な斜面図である。
【図５】図５は図４を側面から見た断面図である。
【符号の説明】
Ｃ１，Ｃ２，Ｃ３，Ｃ４：コイン、
タンク手段・・・
３：タンク、
４：筒形部、
ディスク手段・・・
５：ディスク、
６：駆動軸、
１３：貫通孔、
調整手段・・・
２１：調整板、
２３：歯部、
２７：調整孔。
【図１】
0004002962.tif 000002
【図２】
0004002962.tif 000003
【図３】
0004002962.tif 000004
【図４】
0004002962.tif 000005
【図５】
0004002962.tif 000006